(57)【要約】【課題】清拭部材を収納できるオムツを提供する。【解決手段】本考案のオムツは、オムツ本体１の外側布１３上に挟層１４が設置され、挟層１４中に清拭部材が収納される。これにより、ケア者が、幼児或いは老人のオムツ本体１を交換する時、オムツ本体１を開いた後で尿の他に排泄物があることを発見したとしても、挟層１４中に清拭部材が収納されているため、すぐにそれを取り出して使うことができる。これにより、清拭に用いることができるペーパータオル或いはティッシュペーパーが近くになく不便であるという状況を解決できる。このように、本考案はオムツ本体１を開くと同時に、清拭部材を迅速に取得でき、清拭処置を実施でき、またオムツ本体１を交換できる。【選択図】図１
0003222744.tif 000002
【実用新案登録請求の範囲】
【請求項１】
内側布、吸収体及び外側布を有し、前記吸収体は、前記内側布と前記外側布の間に設置されるオムツ本体を備え、
前記外側布上に、清拭部材を収納する挟層が設置されることを特徴とするオムツ。
【請求項２】
前記清拭部材を収納し、前記挟層中に設置される撥水袋体をさらに備えることを特徴とする請求項１に記載のオムツ。
【請求項３】
前記挟層は、撥水材料であることを特徴とする請求項１に記載のオムツ。
【請求項４】
前記挟層の開口位置には、切り取り線が設置され、外力で破り開かれると、前記挟層の開口が形成されることを特徴とする請求項１に記載のオムツ。
【請求項５】
前記オムツ本体は、前部、中央部及び後部をさらに有し、
前記前部は、着用者の腹部位置に対応し、
前記中央部は、着用者の股下位置に対応し、
前記後部は、着用者の臀部位置に対応し、
前記挟層は、前記前部或いは前記後部の任意の箇所に位置されることを特徴とする請求項１に記載のオムツ。
【請求項６】
前記清拭部材はウェットティッシュ、ティッシュ或いは不織布であることを特徴とする請求項１に記載のオムツ。
【考案の詳細な説明】
【技術分野】
【０００１】
本考案はオムツに関し、特にオムツ上に挟層が設置され、挟層内に清拭部材を収納できるオムツに関する。
【背景技術】
【０００２】
オムツは一般に、幼児が未だ排泄を自らコントロールできない時に装着する。
この他、成人が使用する成人用の紙オムツもある。
オムツの出現は、嬰児、幼児及びケア者の生活を大きく変えた。
その利便性は、人々がオムツを選択する主要な原因である。
オムツは、極めて強力な吸水力を有する高分子集合物を吸収体とし、それ自身の重量の５０倍の水を吸収できるものもある。
【０００３】
ケア者の経験が十分でなく、オムツ交換の時期を判断できない時、排泄物があるかないか分からずにオムツを開けた後、尿以外に排泄物もあることを発見することがある。
この時、清拭のためのペーパータオル或いはティッシュペーパーが近くに用意されておらず、不便を招くことがある。
【考案の概要】
【考案が解決しようとする課題】
【０００４】
前記先行技術には、オムツを開け、尿以外の排泄物を発見しても、清拭のためのペーパータオル或いはティッシュペーパーが近くに用意されておらず、不便を招く欠点がある。
【課題を解決するための手段】
【０００５】
本考案は、従来の製品の欠点を解決する、オムツに関する。
【０００６】
本考案によるオムツは、オムツ本体を備える。
オムツ本体は、内側布、吸収体及び外側布を有し、該吸収体は、該内側布と該外側布の間に設置される。該外側布上に、清拭部材を収納できる挟層が設置される。
好ましくは、該清拭部材を入れ、該挟層中に設置される撥水袋体をさらに備える。或いは好ましくは、該挟層は、撥水材料である。
【０００７】
好ましくは、該挟層の開口位置には、切り取り線が設置され、外力で破り開かれると、該挟層の開口が形成される。
【０００８】
好ましくは、該オムツ本体は、前部、中央部及び後部をさらに有する。
該前部は、着用者の腹部位置に対応する。
該中央部は、着用者の股下位置に対応する。
該後部は、着用者の臀部位置に対応する。
該挟層は、該前部或いは該後部の任意の箇所に位置される。
或いは好ましくは、該清拭部材は、ウェットティッシュ、ティッシュ或いは不織布である。
【０００９】
上述の技術特徴により以下の効果を達成できる。
１．本考案は、オムツ本体上に収容設置空間を有する挟層が設置されし、これにより挟層内に清拭部材を収納し、ケア者がオムツ本体を開くと同時に、清拭部材を迅速に取得でき、清拭を実施でき、またオムツ本体を交換できる。
２．本考案が設計する撥水袋体は、清拭部材を効果的に包み、水分を含む清拭部材が水分を失う状況を回避できると同時に、尿による清拭部材の汚染をも回避できる。
３．本考案の挟層は外側布上に設置され、外側布と同様の撥水材料とすることができるため、吸収体の尿の漏れを防止できる。
４．本考案の挟層の開口位置には切り取り線が設置され、オムツ本体の未使用時には市販の従来のオムツと外観上の差はない。使用時に、外力により切り取り線を破り開けば、清拭部材を取り出して使用できる。
５．本考案の挟層は、好ましくは、オムツ本体の前部に位置される。この場合、ケア者は迅速に清拭部材を取り出すことができる。
【図面の簡単な説明】
【００１０】
【図１】本考案実施形態のオムツの外観を立体的に示した斜視図である。
【図２】本考案実施形態のオムツ本体を展開して示した平面図である。
【図３】本考案実施形態のオムツ本体の一部を示した断面図である。
【図４】本考案実施形態のオムツの実施状態を立体的に示した斜視図である。
【図５】本考案実施形態のオムツの実施状態を示した斜視図である。
【考案を実施するための形態】
【００１１】
（一実施形態）
図１に示す通り、本考案は、オムツ本体１を備える。
オムツ本体１は、内側布１１、吸収体１２及び外側布１３を有する。
市販されている従来のオムツと同様、内側布１１は親水性の布体材料で、吸収体１２の多くは、コットン材料に炭酸カルシウムから構成される。
水分が内側から漏れ出さないように、外側布１３には、撥水布体材料を採用する。
本考案の特徴は、外側布１３上に、挟層１４が設置されることにある。挟層１４そのものは撥水材料である。
挟層１４は、開口、及び開口に連通する収容設置空間１４１を有し、開口位置に、切り取り線１４２が設置される。
切り取り線１４２は、外力で破り開くことができ、破り開くと挟層１４の開口が形成される。
【００１２】
図２に示す通り、本実施形態における挟層１４の位置について、以下に簡単に説明する。
オムツ本体１は、前部１５、中央部１６及び後部１７を有する。
前部１５は、着用者の腹部位置に対応する。
中央部１６は、着用者の股下位置に対応する。
後部１７は、着用者の臀部位置に対応する。
挟層１４は、前部１５或いは後部１７の任意の箇所に位置する。
本実施形態中では、挟層１４は、前部１５に設置され、ケア者の作業の便を図る。
【００１３】
図３及び図４に示す通り、挟層１４には、清拭部材１５が設置される。
清拭部材１５は、ウェットティッシュ、ティッシュ或いは不織布である。
好ましくは、撥水袋体１８を介して清拭部材１５を設置し、これにより水分を含む清拭部材１５が水分を失う状況を回避できると同時に、清拭部材１５の尿汚染を回避することもできる。
【００１４】
実際の操作では、ケア者はオムツ本体１を開くと同時に、挟層１４中から迅速に清拭部材１５を取り出し、清拭とオムツ交換の作業を実施できる。
本実施形態のオムツ本体１が使用者の身体を覆った状態を示す斜視図である図５に示す通り、オムツ本体１は未使用時には、市販のオムツと外観上の差はない。
使用時には、外力で切り取り線１４２を破り開け、清拭部材１５を取り出すだけで使用できる。
【００１５】
前述した本考案の実施形態は本考案を限定するものではなく、よって、本考案により保護される範囲は実用新案登録請求の範囲を基準とする。
【符号の説明】
【００１６】
１・・・オムツ本体、
１１・・・内側布、
１２・・・吸収体、
１３・・・外側布、
１４・・・挟層、
１４１・・・収容設置空間、
１４２・・・切り取り線、
１５・・・前部、
１６・・・中央部、
１７・・・後部、
１８・・・撥水袋体。
【図１】
0003222744.tif 000003
【図２】
0003222744.tif 000004
【図３】
0003222744.tif 000005
【図４】
0003222744.tif 000006
【図５】
0003222744.tif 000007